(57)【特許請求の範囲】
【請求項１】
手持ち式マイクロホン送信器とベルト装着式送信器とから高周波数信号を受信するラジオ周波数受信機の内部に配置された音声信号処理装置に電力を供給するための装置であって、
電圧変換電源と、
前記ラジオ周波数受信機のエンクロージャの内部に配置され、前記電圧変換電源のハウジングに適合され、前記電圧変換電源を着脱可能に収容する電圧変換電源用のレセプタクルと
を具備し、
前記エンクロージャは、内部に前記手持ち式マイクロホン送信器と前記ベルト装着式送信器とから高周波数信号を受信し、音声信号を出力する受信機を設けるとともに、外面に外部増幅器に音声信号を出力するため音声出力コネクタが配置され、
前記レセプタクルは、前記電圧変換電源を収容した場合、該電圧変換電源と前記受信機との間におけるラジオ周波数信号の伝達を遮断するシールドを有し
前記電圧変換電源が前記エンクロージャ内部に配置される場合、前記電圧変換電源は交流電源からの電力を前記音声信号処理装置に供給し、前記電圧変換電源を前記エンクロージャ内部から取り外した場合においても、接続を変えることなく、前記電圧変換電源は前記交流電源からの電力を前記音声信号処理装置に供給する装置。
【請求項２】
前記電圧変換電源のハウジングの内部に配置された外部電源のプラグ用のレセプタクルをさらに備える請求項１に記載の装置。
【請求項３】
前記電圧変換電源を前記音声信号処理装置に結合する外部導線をさらに備える請求項１に記載の装置。
【請求項４】
前記エンクロージャに配置され、前記電圧変換電源を前記外部導線を介して前記音声信号処理装置に結合するための電気レセプタクルをさらに備える請求項１に記載の装置。
【請求項５】
前記外部導線を前記電気レセプタクルに係合するために前記外部導線の端部に配置されるプラグをさらに備える請求項４に記載の装置。
【請求項６】
前記音声信号処理装置は音声増幅器をさらに備える請求項１に記載の装置。
【請求項７】
前記電圧変換電源用のレセプタクルの内面の内寸は、前記電圧変換電源のハウジングの外寸よりそれぞれ１／８インチ（０．３ｃｍ）以上大きい請求項１に記載の装置。
【請求項８】
前記電圧変換電源用のレセプタクルおよび変換電源のハウジングは、傾斜した側面をさらに備える請求項７に記載の装置。
【請求項９】
手持ち式マイクロホン送信器とベルト装着式送信器とから高周波数信号を受信するラジオ周波数受信機の内部に配置された音声信号処理装置に電力を供給するための装置であって、
電圧変換電源と、
前記ラジオ周波数受信機のエンクロージャの内部に配置され、前記電圧変換電源のハウジングに適合され、前記電圧変換電源を着脱可能に収容する電圧変換電源用のレセプタクルと、
前記電圧変換電源が前記エンクロージャ内部に配置される場合、前記電圧変換電源は交流電源からの電力を前記音声信号処理装置に供給し、前記電圧変換電源を前記エンクロージャ内部から取り外した場合においても、接続を変えることなく、前記電圧変換電源は前記交流電源からの電力を前記音声信号処理装置に供給する手段と
を具備し、
前記エンクロージャは、内部に前記手持ち式マイクロホン送信器と前記ベルト装着式送信器とから高周波数信号を受信し、音声信号を出力する受信機を設けるとともに、外面に外部増幅器に音声信号を出力するための外部ジャックを有し、
前記レセプタクルは、前記電圧変換電源を収容した場合、該電圧変換電源と前記受信機との間におけるラジオ周波数信号の伝達を遮断するシールドを有する装置。
【請求項１０】
前記電圧変換電源の前記ハウジング内部に配置され、外部電源からの電力を受けるための手段をさらに備える請求項９に記載の装置。
【請求項１１】
前記外部源を前記電力を受けるための手段に結合する手段をさらに備える請求項１０に記載の装置。
【請求項１２】
前記電圧変換電源を前記音声信号処理装置に結合するために、前記エンクロージャに配置される手段をさらに備える請求項９に記載の装置。
【発明の詳細な説明】
【０００１】
【発明の属する技術分野】
本発明の分野は、音声装置に関する。さらに詳細には、本発明は、音声装置の電源に関する。
【０００２】
【従来の技術】
携帯式のマイクロホンおよび増幅器などの音声装置用の電源は、一般に、電力を供給する装置の一体部分として形成される。電源コードは通常、交流（ＡＣ）電源に接続するように形成されている。ＡＣ電源は通常、公共の電力供給網から得られる。
【０００３】
電源内部には、一連の音声装置の集積回路の内部で用いるのに好都合なレベルまでＡＣ電源の電圧を下げるために、変圧器が通常、設けられる。下げられた電圧は、集積回路にさらに容易に電力を供給するために、電源内部で整流されることが多い。
【０００４】
最近の傾向として、電力を供給する装置とは異なる一体電源が、利用可能になっている。新たに利用可能な電源は、電力を供給することになっている装置に電源を接続するためのそれ自体のエンクロージャおよびコードを備えている。一連のプロングは通常、壁付きコンセントまたは電源コードを嵌め込むために、エンクロージャの外面に設けられている。
【０００５】
【発明が解決しようとする課題】
一体型電源は有用であるが、使用しにくいことが多い。エンクロージャのサイズのために、１つのみ（または多くて２つ）の電源が隣接するコンセントに使用可能である。音声装置の価値のために、音声装置に電力を供給するためのさらに使い勝手のよい方法が必要である。
【０００６】
【課題を解決するための手段】
音声信号処理装置に電力を供給するための方法および装置について記載する。本方法は、音声信号処理装置のエンクロージャ内部で電圧変換電源のハウジング用のレセプタクルを設けるステップと、音声信号処理装置のエンクロージャ内部で電圧変換電源を着脱可能に配置するステップと、を含む。
【０００７】
【発明の実施の形態】
図１は、本発明の図示した実施形態に基づき、マイクロホン／増幅器システム１０を示している。システム１０は、マイクロホン使用者が増幅器に接続されたワイヤによって妨げられてはならない任意の多数の環境で用いられることができる。
【０００８】
システム１０は、手持ち式マイクロホン送信器１２、ベルト装着式送信器１６およびベースステーション受信器１４を具備している。当業者には公知であると推測されるように、送信器１２，１６は、高周波（ＲＦ）送信器を備えている。ＲＦ送信器は、比較的低出力であってもよく、比較的短いレンジであってもよい。使用中、送信器１２，１６は、ベースステーション受信器１４に信号１３，２２を送信することができる。
【０００９】
送信器１６は、使用者のベルト（図示せず）に取付けることができるクリップ１８を備えることができる。アンテナ２０は、ベースステーション１４のアンテナ２４に信号２２を送信するために設けられることができる。
【００１０】
ベースステーション１４および送信器１２，１６は、チャンネルセレクタ２６を備えることができる。チャンネルセレクタ２６は、付近の雑音源からの雑音のない多数のＲＦチャネルの中から１つを選択するために用いられることができる。
【００１１】
スケルチコントロール４１（図２）は、ベースステーション１４のエンクロージャ１５の背面に設けられることができる。スケルチコントロール４１は、別の雑音源からの混信をさらに削減するために用いられることができる。
【００１２】
ベースステーション１４はまた、音量調節器２８を備えることができる。音量調節器２８は、可聴周波数（ＡＦ）出力４３によって入手可能な出力信号の振幅を制御する。
【００１３】
ベースステーション１４は、信号を受信し、送信器１２，１６から受信した信号を増幅することができる。次に、増幅された信号は、ＡＦ出力４３を通じて電力増幅器およびスピーカ（図示せず）に供給されることができる。
【００１４】
空間を削減するために、ベースステーション１４は、着脱可能な一体型電源３０を備えることができる。ベースステーション１４のエンクロージャ１５は、一体型電源３０を摺動可能に収容するためのレセプタクル３２（図２）を備えることができる。レセプタクル３２の一連の内寸は、電源３０の外寸に対して相補的（たとえば１／８インチ（０．３ｃｍ）以上大きい）であってもよい。
【００１５】
電源を上下逆に挿入しないようにするために、電源３０の側面６０（図３）およびレセプタクル３２の側面には、傾斜することができる。さらに詳細には、電源３０のエンクロージャ１５に電源３０を正確に挿入することを確実に行うために、縁６０は、適切な角度（たとえば５°）だけ内側に傾斜することができる。
【００１６】
図２に示されているように、電源３０を簡単かつ適宜にレセプタクル３２に入れたり出したり（３４）することができる。一旦、レセプタクル３２に十分に挿入されると、電源３０は、電源接続を行うために露出される電源３０の背面のみで、エンクロージャ１５によって実質的に包囲されることができる。
【００１７】
一旦、電源３０がレセプタクル３２に十分に挿入されると、弾性的に偏った移動止め（ぺグ）４２が、レセプタクル３２内部に電源を固定するために、電源３０の陥凹部４６と係合することができる。あるいは、移動止め４２は、電源３０のエンクロージャの後縁を係合し、それによって、レセプタクル３２内部に電源を固定してもよい。
【００１８】
レセプタクル３２に挿入するかどうかに関係なく、電源３０からベースステーション１４に電力を結合するために外部の一連の導線３６を設けることができる。エンクロージャ１５に電気レセプタクル４０を係合するために、導線３６の一方の端にプラグ３８を設けることができる。レセプタクル４０は、プラグ３８から電力を受け、今度は、ベースステーション１４用の電力源として機能することができる。
【００１９】
また、埋込み型雄プラグ５０が電源３０に設けられる。埋込み型プラグ５０は、外部の電力コード（本線プラグ）５４の雌プラグ５２を受け入れるように成されることができる。電源コード５４は、別の雄プラグ５６から雌プラグ５２にＡＣ電力を伝導するために設けられることができる。今度は、雄プラグ５６は、公共施設から電力を受けるための壁付きコンセントまたはアウトレットストリップから電力を受けることができる。
【００２０】
混信をさらに低減させるために、電源３０およびレセプタクル３２は、任意の低位の信号処理機能から遠隔地に位置してもよい。図４は、ベースステーション１４の構成要素配置マップの上面図に関して示すために用いられることができる。図示されているように、電源３０は、ベースステーション１４の第１の端部に実質的に位置していてもよい。対照的に、回路基板６６の低位の信号処理部は、ベースステーション１４の第２の端部付近に位置していてもよい。
【００２１】
ベースステーション１４の対向する端部における電源３０の位置決めによって、低位の信号処理基板６６は、混信を遮断することができる。たとえば、２種変圧器６４および電源３０の整流器６２をさらに遮断するために、個別シールド６８が、レセプタクル３２の周囲に取付けられてもよい。
【００２２】
さらに、当業者は、変圧器６４と雑音に敏感な信号処理素子との間の物理的な距離の詳細の重要性を認識すると推測される。たとえば、図５は、ベースステーション１４内部で行われている信号処理機能のブロック図であり、図６および図７は、ベースステーション１４の回路の処理機能を提供する物理的な装置の詳細図である。図８および図９は、雑音に敏感な信号処理素子および変圧器６４の物理的な距離を示すベースステーション１４の回路基板の配置の上面図および下面図である。
【００２３】
ＦＩＬ３０で形成される帯域通過フィルタリングおよびＩＣ１００内部で行われている第２のミキシング機能（図５〜図７）は、雑音の影響を特に受けやすいと推測される。雑音を低減させるために、フィルタＦＩＬ３０と変圧器６４との間の距離５ｃｍを設けることができる。ＩＣ１００と変圧器６４との間の距離は７．５ｃｍであってもよい。
【００２４】
別の敏感素子は、ＩＣ１００の第２の混合器と共に用いられるタンク回路であってもよい。このタンク回路のインダクタＬ１００は、変圧器６４から７．５ｃｍに配置されることができる。
【００２５】
さらに、コネクタＪＫ２０１によって形成される可聴周波数出力は、別の敏感な装置として認識されると推測される。コネクタＪＫ２０１と変圧器６４との間の距離は、６ｃｍであってもよい。
【００２６】
雑音に敏感な構成要素と変圧器６４との間の距離を改善するために、変圧器６４にさらに近い位置に、別の構成要素を移動し、雑音に敏感な構成要素のためにより大きな距離を取ることができるようにしてもよい。実質的に、あまり敏感でない構成要素を犠牲にして、雑音に敏感な構成要素を優先的に離隔することによって、敏感な素子間の距離を実現することができる。
【００２７】
図示した実施形態に基づき、ベースステーション１４は、一体型電源３０（すなわちレセプタクル３２に挿入された電源３０）またはベースステーション１４から遠隔地に位置する電源３０に関して、用いられることができる。いずれの構成においても電源３０を用いるためのベースステーション１４の能力は、さまざまな点においてベースステーション１４の有用性を向上する。第一に、着脱可能な電源３０の使用は、エンクロージャ１５内部の電源から離れた位置にある可能性がある変圧器モジュールを設けることによって、電源における妨害を解消する。たとえば、先行技術の壁取付け装置に共通の不満は、音声機器の電源ラックまたは電源ストリップにおいて過度の空間を占めることである。
【００２８】
さらに、この一体型ＡＣ電源３０は、任意の使いやすい位置に配置することができる。これは、多くのベースステーション１４が受信器１４の中の混信を避けるために、非常に近い位置で用いられることになっている場合に利点となる。
【００２９】
さらに、外部電源コード５４は、ＩＥＣ認可のＡＣ本線プラグ５６を備えていてもよい。これによって、いずれのＡＣプラグ構成が自国で適切である場合でも、エンドユーザは用いることができる。
【００３０】
ＩＥＣ本線コード５４がケーブルに拡張可能であることを許容するために、ＡＣケーブル５４の長さを変更することが、エンドユーザによって容易である。このことは、より簡素でかつ使いやすいのみならず、ハムおよび混信を低減させるのにも有用である。
【００３１】
音声装置に電力を提供するための方法および装置の特別の実施形態については、本発明が構成され用いられる方法を例示するために述べている。本発明の他の変形および修正の実装およびさまざまな態様は、当業者には明白であると思われ、本発明は示された特定の実施形態に限定されるわけではないことを理解されるべきである。したがって、ありとあらゆる修正物、変形物または等価物は、本願明細書に開示され、請求される基本的な根本原理の真の精神および範囲を逸脱することなく、本発明を網羅すると考えるべきである。
【図面の簡単な説明】
【図１】本発明の図示した実施形態による音響システムの斜視図である。
【図２】図１のシステムのベースステーションの後方斜視図である。
【図３】図２のベースステーションの電源の断面図である。
【図４】図２のベースステーションの上部破断図である。
【図５】図２のベースステーションによって行われる信号処理機能のブロック図である。
【図６】図５のブロック図の詳細図である。
【図６Ａ】図６の図６Ａに相当する部分の詳細図である。
【図６Ｂ】図６の図６Ｂに相当する部分の詳細図である。
【図６Ｃ】図６の図６Ｃに相当する部分の詳細図である。
【図６Ｄ】図６の図６Ｄに相当する部分の詳細図である。
【図７】図５のブロック図の詳細図である。
【図７Ａ】図７の図７Ａに相当する部分の詳細図である。
【図７Ｂ】図７の図７Ｂに相当する部分の詳細図である。
【図７Ｃ】図７の図７Ｃに相当する部分の詳細図である。
【図７Ｄ】図７の図７Ｄに相当する部分の詳細図である。
【図８】図２のベースステーション内部で用いられている回路の上面図である。
【図９】図２のベースステーション内部で用いられている回路の下面図である。
【符号の説明】
１０  マイクロホン／増幅器システム
１２  手持ち式マイクロホン送信器
１３  信号
１４  ベースステーション（受信器）
１５  ベースステーション１４のエンクロージャ
１６  ベルト装着式送信器
１８  クリップ
２０  送信器１６のアンテナ
２２  信号
２４  ベースステーション１４のアンテナ
２６  チャンネルセレクタ
２８  音量調節器
３０  着脱可能な一体型電源
３２  レセプタクル
３４  電源３０の出し入れ
３６  導線
３８  プラグ
４０  レセプタクル
４１  スケルチコントロール
４２  移動止め
４３  可聴周波数（ＡＦ）出力
４６  電源３０の陥凹部
５０  埋込み型雄プラグ
５２  雌プラグ
５４  外部の電源コード
５６  雄プラグ
６０  電源３０の側面
６２  電源３０の整流器
６４  変圧器
６６  回路基板
６８  個別シールド
【図１】
0004261825.tif 000002
【図２】
0004261825.tif 000003
【図３】
0004261825.tif 000004
【図４】
0004261825.tif 000005
【図５】
0004261825.tif 000006
【図６】
0004261825.tif 000007
【図６Ａ】
0004261825.tif 000008
【図６Ｂ】
0004261825.tif 000009
【図６Ｃ】
0004261825.tif 000010
【図６Ｄ】
0004261825.tif 000011
【図７】
0004261825.tif 000012
【図７Ａ】
0004261825.tif 000013
【図７Ｂ】
0004261825.tif 000014
【図７Ｃ】
0004261825.tif 000015
【図７Ｄ】
0004261825.tif 000016
【図８】
0004261825.tif 000017
【図９】
0004261825.tif 000018